(57)【要約】【課題】ボルト頭部等の頂角部のつぶれ変形を防止できるとともに、最薄肉部である収容凹部の頂角部におけるクラック発生および破損を防止または抑制できる締め付け工具を提供する。【解決手段】正六角形の外形を有するボルト頭部１４を、対応する略正六角形の内側面を有する収容凹部１２内に嵌合させて、前記ボルト頭部１４にトルクを伝達することによりボルトを締め付ける又は緩めるソケットレンチであって、  前記収容凹部１２の互いに隣接する２つの頂角部２０の間の内側面が、前記収容凹部１２の中心Ｃ側に向かって略く字状に突出するように連結された２つの平面２４，２６で構成されていることを特徴とする。【選択図】図２
2007283427.tif 000002
【特許請求の範囲】
【請求項１】
正多角形の外形を有する被締め付け部材を、対応する略正多角形の内側面を有する収容凹部内に嵌合させて、前記被締め付け部材にトルクを伝達することにより前記被締め付け部材を締め付ける又は緩める締め付け工具であって、
前記収容凹部の互いに隣接する２つの頂角部の間の内側面が、前記収容凹部の中心側に向かって略く字状に突出するように連結された２つの平面で構成されていることを特徴とする締め付け工具。
【請求項２】
前記収容凹部の内側面の基準となる基準正多角形線に対する前記平面の傾きは、前記収容凹部内に前記被締め付け部材を収容してトルクをかけたときに前記収容凹部の内側面と前記被締め付け部材の外周面との間に形成される隙間に起因して生じる前記被締め付け部材の傾きに一致することを特徴とする請求項１に記載の締め付け工具。
【請求項３】
前記傾きは、約５〜１０度であることを特徴とする請求項２に記載の締め付け工具。
【請求項４】
前記収容凹部の頂角部が円弧面として形成されていることを特徴とする請求項１ないし３のいずれかに記載の締め付け工具。
【請求項５】
前記円弧面は、前記収容凹部の内側面の基準となる基準正多角形線の頂角部よりも僅かに内側に設定されていることを特徴とする請求項４に記載の締め付け工具。
【請求項６】
前記収容凹部の互いに隣接する２つの頂角部の間の内側面を構成する前記２つの平面は、前記頂角部を構成する前記円弧面の接線方向にそれぞれ延設されていることを特徴とする請求項４に記載の締め付け工具。
【発明の詳細な説明】
【技術分野】
【０００１】
本発明は、ボルトやナットなどの被締め付け部材を締め付けたり緩めたりするために用いられるソケットレンチ等の締め付け工具に関する。
【背景技術】
【０００２】
従来、被締め付け部材であるボルトやナットを締め付けたり緩めたりするための工具として、ソケットレンチが知られている。ソケットレンチは、例えば正六角形の外形形状をするナットやボルトの頭部を収容する例えば正六角形の内側面を有する収容凹部を有している。
【０００３】
前記ソケットレンチは、前記収容凹部にボルト頭部やナットを収容した状態でトルクをかけることによって、前記ナットや前記ボルトを締め付けるものである。ここで、ボルト頭部やナットを製造寸法誤差にかかわらず無理なく収容できるようにするため、ソケットレンチの収容凹部はナットやボルト頭部よりも少し大きく形成されることがＪＩＳ等の規格によって規定されている。これにより、前記収容凹部にナットやボルト頭部を収容したときに、前記収容凹部の内側面とボルト頭部等の外周面との間に隙間が形成されることになる。
【０００４】
前記隙間が形成されることによって、ソケットレンチにトルクをかけてボルト等を締め付けようとするときに、前記収容凹部内においてボルト頭部が僅かに傾くことになる。より詳細には、ソケットレンチからボルト等にトルクが伝達されるとき、前記隙間があることによって、ボルト頭部の頂角部が収容凹部内の頂角部にぴったりと位置するのではなく、ボルト頭部の頂角部が収容凹部内の頂角部から少しずれた内側面に接触することになる。このときの接触は、前記収容凹部の開口面に沿った平面的に見れば点接触状態（三次元的に見れば線接触状態）にあり、トルク伝達が平面的には一点に集中してなされることになる。
【０００５】
このようにトルク伝達が収容凹部の頂角部近傍の内側面上で一点に集中してなされることで、前記収容凹部の頂角部に応力集中が発生し、その結果、外周形状が円柱状をなすソケットレンチにおいて肉厚が最も薄くなる前記頂角部にクラックが発生して、ソケットレンチが破損するおそれがある。
【０００６】
一方、ソケットレンチの外周直径を大きくして（すなわち最小肉厚部を厚くして）、破損しないように強度を上げることが考えられるが、ソケットレンチは狭いスペースで使用され得ることを考慮すると、できるだけ小径なものにすることが望まれる。
【０００７】
また、上述したようにボルト頭部等が収容凹部の内側面に点接触した状態でトルクがかかると、ボルト頭部等の頂角部がつぶれて変形するという問題もある。この問題に対処するため、特許文献１，２には、収容凹部の互いに隣接する２つの頂角部の間の内側面を曲率をもった湾曲面として形成するか、または、湾曲面と平面との組み合わせで構成することが開示されている。これらの先行技術は、ボルト頭部等の頂角部のつぶれ変形防止の点において一定の効果が認められるものの、一点集中状態でトルク伝達がなされていることには変わりなく、最薄肉部である収容凹部の頂角部におけるクラック発生および破損の問題は解消されていない。
【特許文献１】特開平１１−３３３７３６号公報
【特許文献２】実開昭６１−１１７６６９号公報
【発明の開示】
【発明が解決しようとする課題】
【０００８】
そこで、本発明は、ボルト頭部等の頂角部のつぶれ変形を防止でき、ボルト頭部等へのトルク伝達が確実かつ効率的に行えるとともに、最薄肉部である収容凹部の頂角部におけるクラック発生および破損を防止または抑制できる締め付け工具を提供することを課題とする。
【課題を解決するための手段】
【０００９】
前記課題を解決するため、本発明の締め付け工具は、正多角形の外形を有する被締め付け部材を、対応する略正多角形の内側面を有する収容凹部内に嵌合させて、前記被締め付け部材にトルクを伝達することにより前記被締め付け部材を締め付ける又は緩める締め付け工具であって、
前記収容凹部の互いに隣接する２つの頂角部の間の内側面が、前記収容凹部の中心側に向かって略く字状に突出するように連結された２つの平面で構成されていることを特徴とするものである。
ここで、正多角形には、正六角形、正方形等が含まれる。
【００１０】
本発明の締め付け工具において、前記収容凹部の内側面の基準となる基準正多角形線に対する前記平面の傾きは、前記収容凹部内に前記被締め付け部材を収容してトルクをかけたときに前記収容凹部の内側面と前記被締め付け部材の外周面との間に形成される隙間に起因して生じる前記被締め付け部材の傾きに一致することが好ましい。
【００１１】
また、本発明の締め付け工具において、前記傾きは、約５〜１０度であることが好ましい。
【００１２】
また、本発明の締め付け工具において、前記収容凹部の頂角部が円弧面として形成されていてもよい。この場合、前記円弧面は、前記収容凹部の内側面の基準となる基準正多角形線の頂角部よりも僅かに内側に設定されていることが好ましい。さらに、前記収容凹部の互いに隣接する２つの頂角部間の内側面を構成する前記２つの平面は、前記頂角部を構成する前記円弧面の接線方向にそれぞれ延設されていることが好ましい。
【発明の効果】
【００１３】
本発明の締め付け工具によれば、正多角形の外形を有する被締め付け部材を収容する収容凹部の互いに隣接する２つの頂角部の間の側面が、前記収容凹部の中心側に向かって略く字状に突出するように連結された２つの平面で構成されている。これにより、前記収容凹部内に前記被締め付け部材を収容してトルクをかけたときに、前記収容凹部の内側面と前記被締め付け部材の外周面との間に形成される隙間に起因して前記被締め付け部材が傾いた状態で、被締め付け部材の外周面と前記収容凹部の頂角部間の内側面を構成する略く字状に突出するように連結された２つの平面の一方とが、面接触状態で接触することになる。その結果、被締め付け部材の頂角部のつぶれ変形を防止できるとともに、ボルト頭部等へのトルク伝達が確実かつ効率的に行える。また、面接触状態でトルク伝達が分散してされることで、点接触または線接触状態で同じ大きさのトルク伝達が行われる場合に比べて、収容凹部の頂角部における応力集中の度合が軽減され、収容凹部の頂角部でのクラック発生および破損が起こりにくい。
【００１４】
また、本発明の締め付け工具において、前記収容凹部の頂角部が円弧面として形成されていれば、前記頂角部における応力集中を軽減でき、前記頂角部におけるクラック発生および破損がさらに起こりにくくなる。さらに、前記円弧面が前記収容凹部の内側面の基準となる基準正多角形線の頂角部よりも僅かに内側に設定されていれば、同一外周直径の締め付け工具に比べて、最薄肉部である収容凹部の頂角部の肉厚を厚くすることができ、これにより収容凹部の頂角部の強度が増して、収容凹部の頂角部でのクラック発生および破損がまたさらに起こりにくくなる。
【発明を実施するための最良の形態】
【００１５】
以下に、本発明の実施の形態について添付図面を参照して説明する。
図１は、本発明の一実施形態であるソケットレンチ１０を収容凹部１２の開口部側から見た平面図である。ソケットレンチ１０は、略正六角形の内側面を有する収容凹部１２を有している。ソケットレンチ１０の収容凹部１２が設けられている部分の外形形状は、円柱状をなしている。
【００１６】
収容凹部１２には、正六角形の外形を有するボルトの頭部（またはナット）１４が収容されるようになっている。ボルト頭部１４を製造寸法誤差にかかわらず無理なく収容できるようにするため、ソケットレンチ１０の収容凹部１２はボルト頭部１４よりも少し大きく形成されている。これにより、収容凹部１２にボルト頭部１４を収容したときに、収容凹部１２の内側面とボルト頭部１４の外周面との間に隙間１６が形成されことになる。
【００１７】
前記隙間１６があるために、ソケットレンチ１０にトルクをかけてボルトを締め付けようとするとき、ボルト頭部１４は収容凹部１２内において実線１８で示すように傾く。すなわち、ボルト頭部１４の頂角部が、収容凹部１２の頂角部にぴったりと位置するのではなく、収容凹部１２の頂角部近傍の内側面に接触することになる。
【００１８】
図２は、ソケットレンチ１０の収容凹部１２の内側面を部分的に拡大して示す。図２において一点鎖線２２は、収容凹部１２の内側面の基準となる基準正六角形線である。前記収容凹部１２の内側面において、互いに隣接する２つの頂角部２０，２０の間の内側面が、前記収容凹部１２の中心Ｃ側に向かって略く字状に突出するように連結された２つの平面２４，２６で構成されている。
【００１９】
これらの平面２４，２６の基準正六角形線２２に対する傾きθは、収容凹部１２内にボルト頭部１４を収容してトルクをかけたときに収容凹部１２の内側面とボルト頭部１４の外周面との間に形成される隙間１６に起因して生じるボルト頭部１４の傾きに一致するように設定されている。具体的には、前記傾きθは、例えば約５〜１０度に設定される。
【００２０】
前記２つの平面２４，２６の連結部２８は、基準正六角形線２２の一辺を２等分する中央点３０と収容凹部１２の中心Ｃとを結んだ直線３２上に位置している。なお、連結部２８は、湾曲面として形成されてもよいし、または、幅の狭い平面として形成されてもよい。
【００２１】
図示するように、収容凹部１２の内側面の頂角部２０は、円弧面として形成されている。この円弧面は、前記基準正六角形線２２の頂角部３４と、ボルトを締め付ける又は緩めるためにソケットレンチ１０にトルクをかけたときにボルト頭部１４の頂角部が収容凹部１２の内側面に当接する点３６，３８との３点を通る円弧面よりも僅かに内側に設定されている。また、        収容凹部１２の互いに隣接する２つの頂角部２０，２０間の内側面を構成する前記２つの平面２４，２６は、前記頂角部２０を構成する円弧面の接線方向にそれぞれ延設されている。
【００２２】
続いて、前記構成からなるソケットレンチ１０の作用効果について説明する。
ボルトを締め付けるために、収容凹部１２内にボルト頭部１４を嵌合させてソケットレンチ１０にトルクをかけると、上述したように収容凹部１２の内側面とボルト頭部１４の外周面との間に形成される隙間１６に起因してボルト頭部１４が収容凹部１２内において傾く。このように傾いた状態で、ボルト頭部１４の各外周平面は収容凹部１２の内側面を構成する前記平面２４と面接触状態でそれぞれ接触することになる。
【００２３】
このようにソケットレンチ１０の収容凹部１２の内側面がボルト頭部１４に対して面接触状態になることで、ソケットレンチ１０からボルト頭部１４へのトルク伝達が確実かつ効率的に行われるとともに、ボルト頭部１４の頂角部のつぶれ変形を防止することができる。また、面接触状態でトルク伝達が分散してされることで、点接触または線接触状態で同じ大きさのトルク伝達が行われる場合に比べて、収容凹部１２の頂角部２０における応力集中の度合が軽減され、収容凹部１２の頂角部２０でのクラック発生および破損が起こりにくい。
【００２４】
また、本実施形態のソケットレンチ１０では、収容凹部１２の頂角部２０が円弧面として形成されているので、頂角部２０における応力集中をより軽減でき、頂角部２０におけるクラック発生および破損がさらに起こりにくくなる。さらに、前記頂角部２０の円弧面が収容凹部１２の内側面の基準となる基準正六角形線２２の頂角部３４よりも僅かに内側に設定されているため、同一外周直径のソケットレンチに比べて、最薄肉部である収容凹部１２の頂角部２０での肉厚ｔ（図１参照）を厚くすることができ、これにより収容凹部１２の頂角部２０の強度が増して、収容凹部１２の頂角部２０でのクラック発生および破損がより一層起こりにくくなる。
【００２５】
なお、一旦締め付けられたボルトをソケットレンチ１０で緩める際には、ボルト頭部１４は収容凹部１４の内側面を構成する平面２６と面接触状態になり、上記締め付け時と同様の作用効果を奏することになる。
【００２６】
また、本発明の締め付け工具は、正六角形のボルトやナットに適用されるだけでなく、他の正多角形（例えば正方形）の外形を有する被締め付け部材についても適用可能であることは言うまでもない。
【図面の簡単な説明】
【００２７】
【図１】収容凹部の開口部側から見たソケットレンチの平面図。
【図２】収容凹部の内側面の部分拡大図。
【符号の説明】
【００２８】
１０…ソケットレンチ
１２…収容凹部
１４…ボルト頭部
１６…隙間
２０…収容凹部の頂角部
２２…基準正六角形線
２４，２６…平面
２８…連結部
３４…基準正六角形線の頂角部
３６，３８…収容凹部の内側面に対するボルト頭部の頂角部の当接点
【図１】
2007283427.tif 000003
【図２】
2007283427.tif 000004